(57)【要約】      （修正有）【課題】従来にない作用効果を発揮する実用的なポンプ式内容物注出ボトルに設ける付属品を提供する。【解決手段】ボトル部３０上部に設けた押下げ操作部３１の押下げ操作によりボトル部３０内の内容物を注出するように構成されたポンプ式内容物注出ボトルに設ける付属品であって、押下げ操作部３１に被嵌装着される基体１と、この基体１に着脱自在に設けられる装飾体２とを有するものである。【選択図】図１
0003200468.tif 000002
【実用新案登録請求の範囲】
【請求項１】
ボトル部上部に設けた押下げ操作部の押下げ操作により該ボトル部内の内容物を注出するように構成されたポンプ式内容物注出ボトルに設ける付属品であって、前記押下げ操作部に被嵌装着される基体と、この基体に着脱自在に設けられる装飾体とを有することを特徴とするポンプ式内容物注出ボトルに設ける付属品。
【請求項２】
請求項１記載のポンプ式内容物注出ボトルに設ける付属品において、前記押下げ操作部として、ヘッド部に前記ボトル部内の内容物を注出するノズル部が側方へ向けて突設された押下げ操作部を採用し、前記基体は前記ヘッド部に対して上方から被嵌する下部開口部を有する有天筒状体であり、前記基体の周壁部には、前記基体を前記ヘッド部に被嵌させる際、前記ノズル部が挿通する溝部が設けられていることを特徴とするポンプ式内容物注出ボトルに設ける付属品。
【請求項３】
請求項２記載のポンプ式内容物注出ボトルに設ける付属品において、前記溝部は、前記周壁部の下縁に開口し前記ノズル部より巾狭のスリット部と、このスリット部の上部に連設され該スリット部よりも巾広にして前記ノズル部に被嵌する被嵌孔部とで構成されていることを特徴とするポンプ式内容物注出ボトルに設ける付属品。
【請求項４】
請求項１〜３いずれか１項に記載のポンプ式内容物注出ボトルに設ける付属品において、前記基体若しくは前記装飾体に設けられたアリ溝部に連結されるホゾ部が前記装飾体若しくは前記基体に設けられていることを特徴とするポンプ式内容物注出ボトルに設ける付属品。
【請求項５】
請求項４記載のポンプ式内容物注出ボトルに設ける付属品において、前記アリ溝部は前記基体若しくは前記装飾体の背面側が開口していることを特徴とするポンプ式内容物注出ボトルに設ける付属品。
【請求項６】
請求項１〜５いずれか１項に記載のポンプ式内容物注出ボトルに設ける付属品において、前記装飾体は適宜なキャラクターであることを特徴とするポンプ式内容物注出ボトルに設ける付属品。
【請求項７】
請求項１〜６いずれか１項に記載のポンプ式内容物注出ボトルに設ける付属品において、前記装飾体は外表面に適宜な凹凸が設けられていることを特徴とするポンプ式内容物注出ボトルに設ける付属品。
【考案の詳細な説明】
【技術分野】
【０００１】
本考案は、ポンプ式内容物注出ボトルに設ける付属品に関するものである。
【背景技術】
【０００２】
例えばシャンプーやリンスなどの液状体を詰入するボトルとして、ボトル部上部に設けた押下げ操作部の押下げ操作により該ボトル部内の内容物を注出するように構成されたポンプ式内容物注出ボトルが広く利用されているが、これらボトルは同一メーカー製の場合は勿論、メーカーが異なる場合もどれも大きさや形状が近似している為、シャンプーが詰入されたボトルかリンスが詰入されたボトルかの違いが分かりにくく、使用者は誤って違う方のボトルから内容物を注出してしまう場合がある。
【０００３】
そこで、従来においても、例えば実用新案登録第３０７２６２４号に開示されるような内容物を識別可能としたボトル（以下、従来例）が提案されている。
【０００４】
この従来例は、押下げ操作部を構成するヘッド部の上面に凸部を設け、凹凸によりシャンプーとリンスとを識別できるようにしたものである。
【先行技術文献】
【特許文献】
【０００５】
【特許文献１】実用新案登録第３０７２６２４号公報
【考案の概要】
【考案が解決しようとする課題】
【０００６】
本考案者は、前述したポンプ式内容物注出ボトルについて鋭意検討を重ねた結果、従来にない作用効果を発揮する実用的なポンプ式内容物注出ボトルに設ける付属品を考案した。
【課題を解決するための手段】
【０００７】
添付図面を参照して本考案の要旨を説明する。
【０００８】
ボトル部30上部に設けた押下げ操作部31の押下げ操作により該ボトル部30内の内容物を注出するように構成されたポンプ式内容物注出ボトルに設ける付属品であって、前記押下げ操作部31に被嵌装着される基体１と、この基体１に着脱自在に設けられる装飾体２とを有することを特徴とするポンプ式内容物注出ボトルに設ける付属品に係るものである。
【０００９】
また、請求項１記載のポンプ式内容物注出ボトルに設ける付属品において、前記押下げ操作部31として、ヘッド部31ａに前記ボトル部30内の内容物を注出するノズル部31ｂが側方へ向けて突設された押下げ操作部31を採用し、前記基体１は前記ヘッド部31ａに対して上方から被嵌する下部開口部を有する有天筒状体であり、前記基体１の周壁部１ａには、前記基体１を前記ヘッド部31ａに被嵌させる際、前記ノズル部31ｂが挿通する溝部５が設けられていることを特徴とするポンプ式内容物注出ボトルに設ける付属品に係るものである。
【００１０】
また、請求項２記載のポンプ式内容物注出ボトルに設ける付属品において、前記溝部５は、前記周壁部１ａの下縁に開口し前記ノズル部31ｂより巾狭のスリット部５ａと、このスリット部５ａの上部に連設され該スリット部５ａよりも巾広にして前記ノズル部31ｂに被嵌する被嵌孔部５ｂとで構成されていることを特徴とするポンプ式内容物注出ボトルに設ける付属品に係るものである。
【００１１】
また、請求項１〜３いずれか１項に記載のポンプ式内容物注出ボトルに設ける付属品において、前記基体１若しくは前記装飾体２に設けられたアリ溝部３に連結されるホゾ部４が前記装飾体２若しくは前記基体１に設けられていることを特徴とするポンプ式内容物注出ボトルに設ける付属品に係るものである。
【００１２】
また、請求項４記載のポンプ式内容物注出ボトルに設ける付属品において、前記アリ溝部３は前記基体１若しくは前記装飾体２の背面側が開口していることを特徴とするポンプ式内容物注出ボトルに設ける付属品に係るものである。
【００１３】
また、請求項１〜５いずれか１項に記載のポンプ式内容物注出ボトルに設ける付属品において、前記装飾体２は適宜なキャラクターであることを特徴とするポンプ式内容物注出ボトルに設ける付属品に係るものである。
【００１４】
また、請求項１〜６いずれか１項に記載のポンプ式内容物注出ボトルに設ける付属品において、前記装飾体２は外表面に適宜な凹凸が設けられていることを特徴とするポンプ式内容物注出ボトルに設ける付属品に係るものである。
【考案の効果】
【００１５】
本考案は上述のように構成したから、基体に好みの装飾体を設けることで内容物の識別を良好にすることができ、しかも、インテリア性にも秀れることになるなど、従来にない作用効果を発揮する実用的なポンプ式内容物注出ボトルに設ける付属品となる。
【図面の簡単な説明】
【００１６】
【図１】本実施例の使用状態説明図である。
【図２】本実施例を示す分解斜視図である。
【図３】本実施例の要部の説明断面図である。
【図４】本実施例の要部の説明断面図である。
【考案を実施するための形態】
【００１７】
好適と考える本考案の実施形態を、図面に基づいて本考案の作用を示して簡単に説明する。
【００１８】
ポンプ式内容物注出ボトルの押下げ操作部31に基体１を被嵌装着し、この基体１に装飾体２を設ける。尚、予め装飾体２を基体１に設けた状態で該基体１を押下げ操作部31に装着しても良い。
【００１９】
この装飾体２として、例えば種類の異なる複数の装飾体２を用意すれば、この装飾体２だけを適宜取り換えることで簡易に様々な形態が得られる。
【００２０】
従って、使用者の好みに合わせて基体１に装飾体２を設けることで、ボトル部30内の内容物の識別を良好にすることができ、しかも、インテリア性にも秀れることになる。
【００２１】
また、装飾体２ごとに押下げ操作部31への装着構造を備える必要がない為、コスト安にして量産性に秀れることになる。
【実施例】
【００２２】
本考案の具体的な実施例について図面に基づいて説明する。
【００２３】
本実施例は、ボトル部30上部に設けた押下げ操作部31の押下げ操作により当該ボトル部30内の内容物を注出するように構成されたポンプ式内容物注出ボトルに設ける付属品であって、押下げ操作部31に被嵌装着される基体１と、この基体１に着脱自在に設けられる装飾体２とを有するものである。
【００２４】
尚、ポンプ式内容物注出ボトルは、内容物が詰入されるボトル部30と、このボトル部30の口部に螺着されヘッド部31ａにボトル部30内の内容物を注出するノズル部31ｂが側方へ向けて突設された押下げ操作部31を備えたポンプディスペンサーとから成る公知構造のものであり、また、ボトル部30に詰入される内容物としては、シャンプー、リンス、ハンドソープなどの液状物や泡状物が適宜採用される。
【００２５】
基体１は、図１〜４に図示したように適度な柔軟性を有する合成樹脂製の部材で一体成形されており、平面視円形状の天板部１ｂと該天板部１ｂの縁部から垂下する周壁部１ａとから成り、ヘッド部31ａに対して上方から被嵌する下部開口部を有する有天筒状体である。尚、基体１の素材は合成樹脂製に限らず金属製や強化プラスチックなどの硬質の素材でも良いが、後述する溝部５は適度な柔軟性を有する部材で形成される。
【００２６】
また、基体１は、ヘッド部31ａに被嵌させる際、ノズル部31ｂを挿通する溝部５が基体１の周壁部１ａに設けられている。
【００２７】
溝部５は、周壁部１ａの下縁に開口しノズル部31ｂより巾狭のスリット部５ａと、このスリット部５ａの上部に連設され該スリット部５ａよりも巾広にしてノズル部31ｂに被嵌する被嵌孔部５ｂとで構成されている。
【００２８】
このスリット部５ａの対向縁部は、適度な柔軟性を有する合成樹脂製であるため、このスリット部５ａをノズル31ａが圧入状態で挿通されるように構成されている。
【００２９】
また、基体１の天板部１ｂ上面にはアリ溝部３が設けられ、このアリ溝部３に連結（スライド係合）されるホゾ部４が後述する装飾体２に設けられている。尚、基体１にホゾ部４を設け装飾体２にアリ溝部３を設けても良い。
【００３０】
また、アリ溝部３の一端部は、基体１の背面側に開口している。
【００３１】
従って、装飾体２を基体１の背面側から正面側に移動させてアリ溝部３にホゾ部４を連結することができ、しかも、正面方向から見てこの連結構造が見えず体裁が良い。尚、前記アリ溝部３は、基体１若しくは装飾体２の正面側に開口するようにしても良く、この場合、装飾体２の正面部を押下げ操作部31のノズル部31ｂに可及的に近接させることができる為、例えばノズル部31ｂを装飾体２の一部として利用したデザインに形成できる。
【００３２】
装飾体２は、図１〜４に図示したように適宜な合成樹脂製の部材で一体成形され、表面に凹凸のある所望のデザイン（本実施例ではカエルをキャラクター化したデザイン）が施される。尚、装飾体２は合成樹脂製に限らず金属製やガラス製や木製などでも良い。
【００３３】
この装飾体２のデザインとしては以下が考えられる。
【００３４】
(１)  子供向け：動物（例えばゾウ、カメ、アヒル、パンダ、ニワトリ、ツル、魚、タ
コ、ペンギンなど）、キャラクターなど。
【００３５】
(２)  大人女性向け：キラキラ系、イミテーション宝石など。
【００３６】
(３)  男性向け：プロスポーツチームのキャラクター、野球ヘルメット、ピストルなど
。
【００３７】
(４)  その他：小便小僧、ひょっとこ、お笑い芸人など。
【００３８】
また、装飾体２の下面にはホゾ部４が設けられている。
【００３９】
このホゾ部４は前述した基体１に設けられたアリ溝部３に連結（スライド係合）されるもので、装飾体２の前後方向に長さを有するように設けられている。
【００４０】
本実施例は上述のように構成したから、ポンプ式内容物注出ボトルの押下げ操作部31に基体１を被嵌装着し、この基体１に装飾体２を設ける。尚、予め装飾体２を基体１に設けた状態で該基体１を押下げ操作部31に装着しても良い。
【００４１】
この装飾体２として、例えば種類の異なる複数の装飾体２を用意すれば、この装飾体２だけを適宜取り換えることで簡易に様々な形態が得られる。
【００４２】
よって、本実施例によれば、使用者の好みに合わせて基体１に装飾体２を設けることで、ボトル部30内の内容物の識別を良好にすることができ（具体的には、視覚障害者における誤使用を防止するに有効と考える。）、しかも、インテリア性にも秀れることになる。
【００４３】
また、本実施例は、前述した従来例と異なり、既存のポンプ式内容物注出ボトルに適用することができ、装飾体２ごとに押下げ操作部31への装着構造を備える必要がない為、コスト安にして量産性に秀れることになる。
【００４４】
また、本実施例は、アリ溝部３は基体１若しくは装飾体２の背面側に開口しているから、装飾体２を基体１の背面側から正面側に移動させてアリ溝部３にホゾ部４を連結することができ、しかも、正面方向から見てこの連結構造が見えず体裁が良い。
【００４５】
また、本実施例は、押下げ操作部31として、ヘッド部31ａにボトル部30内の内容物を注出するノズル部31ｂが側方へ向けて突設された押下げ操作部31を採用し、基体１はヘッド部31ａに対して上方から被嵌する下部開口部を有する有天筒状体であり、基体１をヘッド部31ａに被嵌させる際、ノズル部31ｂを挿通する溝部５が基体１の周壁部１ａに設けられているから、基体１における押下げ操作部31への堅固な被嵌装着が可能となる。
【００４６】
また、本実施例は、溝部５は、周壁部１ａの下縁に開口しノズル部31ｂより巾狭のスリット部５ａと、このスリット部５ａの上部に連設され該スリット部５ａよりも巾広にして前記ノズル部31ｂに被嵌する被嵌孔部５ｂとで構成されているから、より一層基体１における押下げ操作部31への堅固な被嵌装着が可能となる。
【００４７】
尚、本考案は、本実施例に限られるものではなく、各構成要件の具体的構成は適宜設計し得るものである。
【符号の説明】
【００４８】
１  基体
２  装飾体
３  アリ溝部
４  ホゾ部
５  溝部
５ａ  スリット部
５ｂ  被嵌孔部
30  ボトル部
31  押下げ操作部
31ａ  ヘッド部
31ｂ  ノズル部
【図１】
0003200468.tif 000003
【図２】
0003200468.tif 000004
【図３】
0003200468.tif 000005
【図４】
0003200468.tif 000006